(57)【特許請求の範囲】
【請求項１】
配線板を複数に分割する分割線と、
当該分割線によって分割される一方の配線板に、上記分割線から当該分割線に対して所定の角度を有するように形成された第１の切込み部と、
当該第１の切込み部と連続して形成され、上記一方の配線板の端縁とほぼ平行となると共に上記第２の切込み部によって保持される平形ケーブルの幅よりもわずかに長くなるように形成された第２の切込み部とを備え、
上記第１の切込み部および上記第２の切込み部は、上記平形ケーブルの厚み方向の長さよりもわずかに長く設定された幅を有し、
上記第１の切り込み部は、上記第２の切込み部に挿通された上記平形ケーブルが上記分割線側に移動したときに、上記平形ケーブルの上記分割線側への移動を阻止するための制止部とされるプリント配線板。
【請求項２】
上記一方の配線板は、さらに上記分割線から当該分割線に対して所定の角度を有するように形成された第３の切込み部と、
当該第３の切込み部に連続して形成され、上記一方の配線板の端縁とほぼ平行となる第４の切込み部とを有し、
上記第４の切込み部は、上記第４の切込み部によって保持される上記平形ケーブルの幅よりもわずかに長くなるように形成されている
請求項１記載のプリント配線板。
【発明の詳細な説明】
【０００１】
【発明の属する技術分野】
この発明は、プリント配線板に関する。詳しくは、プリント配線板の端縁あるいは分割位置から所定の角度の切込みが設けられて制止部を形成すると共に、その後切込みの角度を切り換えて保持部を形成し、切込みに平形ケーブルを挿通させて制止部でケーブル位置を制止しながら保持部の位置で保持することにより、コストアップを招くことなく容易にケーブルを保持できるものである。
【０００２】
【従来の技術】
従来、電子機器では複数のプリント配線板が用いられており、ＦＦＣ(Flat Flexible Cable)やリボンケーブルなどの平形ケーブルを用いてプリント配線板間が電気的に接続されている。このようにケーブルを用いてプリント配線板間を接続する場合、接続点が離れているときにはケーブルの長さが長くなることから、ケーブルが可動部等と接触することを防止したり、振動等によってケーブルがコネクタから外れたり、ケーブルが筐体や他の部品等と接触して異音を発生しないように、ケーブルを保持することが行われている。また、安全規格で示されている活電部との距離（絶縁距離）を確保したり、発熱部あるいはシャープエッジなどに接触してケーブルの被覆が損傷を受け短絡等が生じてしまうことを防止するためにもケーブルを保持することが行われている。
【０００３】
このケーブルの保持方法としては、屈曲可能なピンをプリント配線板に植立させて半田付けを行い、このピンを折り曲げてケーブルを保持する方法や、バンドを用いてケーブルを基板等に結束して保持する方法、あるいは筐体等に屈曲可能なケーブル固定金具をネジ等を用いて螺着し、この金具を折り曲げてケーブルを保持する方法が用いられている。また、テープを用いて固定する方法も行われている。
【０００４】
【発明が解決しようとする課題】
ところで、上述の方法ではケーブルを保持するための部品等が必要とされてコストアップとなってしまう。また、屈曲可能なピンをプリント配線板に植立させて半田付けを行う作業や、屈曲可能な金具を筐体等に固定する作業が必要とされて、作業工程が増加してしまう。さらに、テープを用いる場合には、テープが剥がれてしまう恐れもある。
【０００５】
そこで、この発明ではコストアップを招くことなく容易に平形ケーブルを保持できるプリント配線板を提供するものである。
【０００６】
【課題を解決するための手段】
この発明に係るプリント配線板は、配線板を複数に分割する分割線と、当該分割線によって分割される一方の配線板に、上記分割線から当該分割線に対して所定の角度を有するように形成された第１の切込み部と、当該第１の切込み部と連続して形成され、上記一方の配線板の端縁とほぼ平行となると共に上記第２の切込み部によって保持される平形ケーブルの幅よりもわずかに長くなるように形成された第２の切込み部とを備え、上記第１の切込み部および上記第２の切込み部は、上記平形ケーブルの厚み方向の長さよりもわずかに長く設定された幅を有し、上記第１の切り込み部は、上記第２の切込み部に挿通された上記平形ケーブルが上記分割線側に移動したときに、上記平形ケーブルの上記分割線側への移動を阻止するための制止部とされるものである。
【０００８】
この発明においては、プリント配線板の端縁あるいは分割位置から所定の角度の切込みを設けて制止部が形成されると共に、その後切込みの角度が切り換えられて保持部が形成される。この切込みに平形ケーブルが挿通されて制止部でケーブル位置が制止されて保持部の位置で保持される。また、制止部と保持部は複数の切込みによって形成されて、この複数の切込みに平形ケーブルが挿通されて制止部でケーブル位置が制止されると共に保持部の位置で保持される。さらに、この切込みはプリント配線板の分割位置から設けられる。
【０００９】
【発明の実施の形態】
以下、図を参照して、この発明の実施の一形態について説明する。図１は、第１の実施の形態を示しており、このプリント配線板１０には分割線１１が設けられており、この分割線１１の位置で分割されて、プリント配線板１０が複数のプリント配線板、例えばプリント配線板１０-1とプリント配線板１０-2に分割される。なお、分割線１１はミシン目あるいはＶ字状に切削して形成されたＶカット線等が用いられる。
【００１０】
プリント配線板１０-1の端部側には、分割線１１に対して所定の角度θを有すると共に、端部方向に向かう切込み１５が形成される。さらに、切込み１５は、切込みの長さが所定長さＫとされたときに、例えばプリント配線板１０-1の端縁とほぼ平行となるように角度が切り換えられて、ほぼ平行となる部分が後述する平形ケーブルの幅よりもわずかに長い所定長さＬとなるように形成される。このように切込み１５が形成されたプリント配線板１０は、分割線１１の位置で分割されて電子機器に用いられる。なお、切込み１５はプリント配線板を製造する際の外形加工時に形成される。
【００１１】
プリント配線板１０には、分割線１１の位置から切込み１５が形成されているので、プリント配線板１０が分割されたときにプリント配線板１０-1の端部側には、図２に示すように掛止片１７が形成される。
【００１２】
リボンケーブルやＦＦＣ(Flat Flexible Cable)などの平形ケーブル３０は、切込み１５を挿通するように取り付けられると共に、平形ケーブル３０が、例えばプリント配線板１０-1のＡ面側で接続される場合には、図２のＩ-Ｉ’線での断面概略図である図３に示すように、Ａ面側から平形ケーブル３０が切込み１５を挿通し、Ａ面とは逆側のＢ面側からプリント配線板１０-1の外部にＡ面方向に引き出される。
【００１３】
ここで、分割線１１の位置から分割線１１に対して所定の角度θを有して端部方向に切込み１５が形成されており、切込み１５の所定長さＫの部分が制止部２２とされる。また、切込み１５の端縁とほぼ平行となる所定長さＬの部分が保持部２３とされる。
【００１４】
平形ケーブル３０は、切込み１５を挿通するように取り付けられる際に保持部２３の位置とされると共にＢ面側からプリント配線板１０-1の外部にＡ面方向に引き出されるため、掛止片１７で平形ケーブル３０が掛止されてプリント配線板１０-1に保持される。また、制止部２２と保持部２３が所定の角度を有するように切込み１５が形成されているので、平形ケーブル３０が分割線１１側に移動されても、制止部２２によって制止されて、平形ケーブル３０がプリント配線板１０-1から外れてしまうことを防止することができる。
【００１５】
また、分割線１１に対しての角度θや所定長さＫを変更することで、切込み１５の分割線１１側からの平形ケーブル３０の挿入し易さや、保持部２３の位置で保持されている平形ケーブル３０のプリント配線板１０-1からの外れ難さを調整することができる。例えば、第１の実施の形態では、角度θが小さいときに平形ケーブル３０がプリント配線板１０-1から外れにくくなり、所定長さＫが短いときに平形ケーブル３０が挿入し易くなる。
【００１６】
このように、上述の実施の形態によれば、プリント配線板１０を分割したときに掛止片１７が形成されて、この掛止片１７を利用することによりピンやバンドあるいは平形ケーブル固定金具等を用いることなく、容易に平形ケーブル３０を保持することができる。また、プリント配線板１０を分割して例えば筐体等に取り付ける際に掛止片１７が形成されるので、予めプリント配線板の端部に掛止片を形成した場合のように、分割前でのプリント配線板の取扱中に掛止片が他の部分に引っ掛かりを生じて、掛止片が破損してしまうことを防止することができる。
【００１７】
ところで、上述の第１実施の形態では、平形ケーブル３０がプリント配線板１０-1外部にＢ面方向に引き出されたときには、掛止片１７を利用して平形ケーブル３０を長手方向に保持することができなくなってしまう。そこで、第２の実施の形態として、平形ケーブル３０がＡ面方向あるいはＢ面方向のいずれの方向に引き出されても保持することができるプリント配線板５０を図４に示す。
【００１８】
図４において、プリント配線板５０-1の端部側には、分割線５１に対して所定の角度θを有すると共に、プリント配線板５０-1の内部方向に向かう切込み５５が形成される。切込み５５は、分割線５１から所定長さＫとされたときに、例えばプリント配線板５０-1の端縁とほぼ平行となるように角度が切り換えられて、ほぼ平行となる部分が後述する平形ケーブルの幅よりもわずかに長い所定長さＬとなるように形成される。
【００１９】
さらに、切込み５５よりもプリント配線板５０の内部側に、分割線５１に対して所定の角度θを有すると共に、プリント配線板５０-1の端部方向に向かう切込み５６が形成される。切込み５６は切込み５５と同様に、分割線１１から所定長さＫとされたときに、例えばプリント配線板５０-1の端縁とほぼ平行となるように角度が切り換えられて、ほぼ平行となる部分が後述する平形ケーブルの幅よりもわずかに長い所定長さＬとなるように形成される。このように切込み５５，５６が形成されたプリント配線板５０は、分割線５１の位置で分割されて電子機器に用いられる。
【００２０】
プリント配線板５０には、分割線５１の位置から切込み５５，５６が形成されているので、プリント配線板５０が分割されたときに切込み５５，５６によって、図６に示すようにプリント配線板５０-1の端部側に掛止片５７ａが形成されると共に、切込み５５と切込み５６の間に掛止片５７ｂが形成される。
【００２１】
平形ケーブル７０は、切込み５５，５６を挿通するように取り付けられると共に、平形ケーブル７０が、例えばプリント配線板５０-1のＡ面側で接続される場合には、図５のＩＩ-ＩＩ’線での断面概略図である図６に示すように、Ａ面側から平形ケーブル７０が切込み５５を挿通すると共に、Ｂ面側から切込み５６を挿通するものとされる。
【００２２】
ここで、分割線５１の位置から分割線５１に対して所定の角度θを有して端部方向に切込み５５，５６が形成されており、切込み５５，５６の分割線５１から所定長さＫまでの部分が制止部６２，６３とされる。また、切込み５５，５６の端縁とほぼ平行となる所定長さＬの部分が保持部６４，６５とされる。
【００２３】
平形ケーブル７０は、切込み５５，５６を挿通するように取り付けられる際に保持部６４，６５の位置とされて掛止片５７ａ，５７ｂで掛止されてプリント配線板５０-1に保持される。このため、平形ケーブル７０がプリント配線板５０−１の外部にＡ面方向あるいはＢ面方向に引き出されても、掛止片５７ａ，５７ｂによって掛止されているので、平形ケーブル７０が長手方向で保持されなくなってしまうことを防止することができる。
【００２４】
また、制止部６２，６３と保持部６４，６５が所定の角度を有するように切込み５５，５６が形成されているので、平形ケーブル７０が分割線５１側に移動されても、制止部６２，６３によって制止されて、平形ケーブル７０がプリント配線板５０-1から外れてしまうことを防止することができる。
【００２５】
また、上述の第１の実施の形態と同様に分割線５１に対しての角度θや分割線５１からの所定長さＫを変更することで、平形ケーブル７０の挿入し易さや保持されている平形ケーブル７０のプリント配線板５０-1からの外れ難さを調整することができると共に、掛止片の破損を防止することができる。
【００２６】
ここで、例えばプリント配線板の板厚が１．６ｍｍであると共に平形ケーブルのケーブル幅が約７ｍｍでケーブル厚さが約０．５ｍｍ以下であるときの実施例を示す。切込みは、幅が１ｍｍとされて、分割線に対する角度がθ＝４５度とされると共に長さがＫ＝３．５ｍｍとされる。さらに、この切込みの端縁とほぼ平行となる部分が長さはＬ＝７．５ｍｍとされて掛止片１７あるいは掛止片５７が設けられる。この掛止片で平形ケーブルを掛止することにより、平形ケーブルがプリント配線板から外れてしまうことを防止できる。
【００２７】
このように、上述の第１および第２の実施の形態によれば、切込みよって掛止部を形成し、切込みに平形ケーブルを挿通させることで、平形ケーブルを保持するための部品等を用いることなく平形ケーブルを所定の位置にプリント配線板から容易に外れることなく保持することができる。
【００２８】
なお、上述の第１および第２の実施の形態では、切込み１５や切込み５６をプリント配線板５０-1の端部方向に向かうものとし、切込み５５をプリント配線板５０-1の内部方向に向かうものとしたが、切込みの方向は例示的なものであって限定的なものでないことは勿論である。
【００２９】
【発明の効果】
この発明によれば、プリント配線板の端縁あるいは分割位置から所定の角度の切込みを設けて制止部が形成されると共に、その後切込みの角度が切り換えられて保持部が形成されて、この切込みに平形ケーブルを挿通させることにより制止部でケーブル位置が制止されて保持部の位置で保持される。このため、平形ケーブルを保持するための部品等を用いる必要がないので、コストアップを招くことなく容易に平形ケーブルを保持することができる。
【００３０】
また、制止部と保持部は複数の切込みによって形成されて、この複数の切込みに平形ケーブルが挿通されて制止部でケーブル位置が制止されると共に保持部の位置で保持される。このため、プリント配線板から一方の面側あるいは逆面側に平形ケーブルを引き出す場合であっても平形ケーブルを保持することができる。
【００３１】
さらに、この切込みはプリント配線板の分割位置から設けられているので、プリント配線板の分割前に切込みによって掛止部が形成されることがない。このため、分割前のプリント配線板の取扱中に掛止部を破損してしまうことを防止できる。
【図面の簡単な説明】
【図１】第１の実施の形態の構成を示す図である。
【図２】平形ケーブル３０を保持した状態を示す図である。
【図３】Ｉ−Ｉ’線での断面図である。
【図４】第２の実施の形態の構成を示す図である。
【図５】平形ケーブル７０を保持した状態を示す図である。
【図６】ＩＩ−ＩＩ’線での断面図である。
【符号の説明】
１０，５０，１０-1，１０-2，５０-1，５０-2  プリント配線板
１１，５１  分割線
１５，５５，５６  切込み
１７，５７ａ，５７ｂ  掛止片
２２，６２，６３  制止部
２３，６４，６５  保持部
３０，７０  平形ケーブル
【図１】
0004478227.tif 000002
【図２】
0004478227.tif 000003
【図３】
0004478227.tif 000004
【図４】
0004478227.tif 000005
【図５】
0004478227.tif 000006
【図６】
0004478227.tif 000007